(57)【要約】【課題】組み付け後も容易にフロントパネルと操作つまみアセンブリを分離できる操作つまみアセンブリの固定構造を提供する。【解決手段】複数の操作つまみ１ａがヒンジ１ｃを介してベース１ｂに連結された操作つまみアセンブリ１の前記ベース１ｂに設けた穴１ｅ、１ｅ…をフロントパネル２のボス２ａ、２ａに設けた凸部と嵌合させ、前記ベース１ｂをフロントパネル２によりフロントパネル２の内部方向に押圧し、ＬＣＤ取付金具３の切り起した舌片３ｂ、３ｂ…によりフロントパネル２の外部方向に押圧することにより、前記フロントパネル２とＬＣＤ取付金具３とで挾持させる。【選択図】図２
2008181829.tif 000002
【特許請求の範囲】
【請求項１】
複数の操作つまみがヒンジを介してベースに連結された操作つまみアセンブリの前記ベースに設けた穴または凸部をフロントパネルのボスに設けた凸部または穴と嵌合させ、前記ベースをフロントパネルによりフロントパネルの内部方向に押圧し、ＬＣＤ取付金具の切り起した舌片によりフロントパネルの外部方向に押圧することにより、前記フロントパネルとＬＣＤ取付金具とで挾持させることを特徴とする操作つまみアセンブリの固定構造。
【請求項２】
前記ベースが前記フロントパネル方向に凸となる第１の凸部と前記舌片方向に凸となる第２の凸部とが交互に連なるように形成され、前記第１の凸部が前記フロントパネルにより押圧され、前記第２の凸部が前記舌片により押圧されるように構成した請求項１の操作つまみアセンブリの固定構造。
【請求項３】
ＬＣＤ用光ガイドからＬＣＤ取付金具に設けた導光穴を通る光により前記操作つまみが照光される請求項１または２の操作つまみアセンブリの固定構造。
【請求項４】
前記導光穴が前記舌片の切り起し穴により形成されている請求項３の操作つまみアセンブリの固定構造。
【発明の詳細な説明】
【技術分野】
【０００１】
この発明は電子機器に係わり、特に、操作つまみアセンブリの固定構造に関する。
【背景技術】
【０００２】
従来から特開２００１−１１０２７７号公報に開示されているように、一列に並んだ操作つまみをヒンジを介してベースに連結して操作つまみアセンブリを形成し、操作つまみアセンブリをフロントパネルに取付け、前記夫々の操作つまみをフロントパネルの穴から突出させ、夫々の操作つまみを押すことにより操作つまみの背後に一体に設けられた操作杆によりプリント基板に実装されたスイッチを作動させる操作つまみアセンブリが用いられている。
【０００３】
そのような操作つまみアセンブリの固定構造の従来の例を図４および図５を参照して説明する。図４おび図５に示す操作つまみアセンブリ１１は個々の操作つまみ１１ａ、１１ａ…がヒンジ１１ｃ、１１ｃ…を介してベース１１ｂに一体に連結され、さらに、操作つまみ１１ａ、１１ａ…に作動杆１１ｄ、１１ｄ…が一体に形成されることにより構成されている。
【０００４】
ベース１１ｂにはフロントパネル２に固定するための穴１１ｅ、１１ｅ…が設けられている。フロントパネル２には前記個々の操作つまみ１１ａ、１１ａ…を挿通させる穴２ｂ、２ｂ…とＬＣＤ４を露出させる窓２ｃが設けられ、さらに、ベース１１ｂに設けられた穴１１ｅ、１１ｅ…と嵌合する凸部を有するボス２ａ、２ａ…が設けられている。そして、ベース１１ｂの穴１１ｅ、１１ｅ…をボス２ａ、２ａ…に嵌合させて熱融着や接着により操作つまみアセンブリ１１がフロントパネル２に固定される。
【０００５】
箱型に形成されたＬＣＤ取付金具１３にはＬＣＤ４を露出させる窓１３ａが設けられており、ＬＣＤ４と光ガイド５を収容してプリント基板６にかしめ付けられることにより、ＬＣＤ取付金具１３、ＬＣＤ４、光ガイド５およびプリント基板６が一体に組み付けられる。
【０００６】
プリント基板６にはＬＣＤバックライト用ＬＥＤ６ａおよびスイッチ８、８…が実装されている。ＬＣＤ取付金具１３の切り欠きから突出した光ガイド５のボスに設けられたねじ挿通穴５ｂ、５ｂを挿通したねじをフロントパネル２のボスに設けられたねじ穴にねじ込むことによりＬＣＤ取付金具１３、ＬＣＤ４および光ガイド５がフロントパネル２に固定される。
【０００７】
このように固定された操作つまみアセンブリ１１の個々の操作つまみ１１ａを押すことにより対応するスイッチ８が作動杆１１ｄにより作動される。また、プリント基板６に実装されたＬＣＤバックライト用ＬＥＤ６ａから放射された光は光ガイド５の乳白色のアクリル材を通りＬＥＤバックライトエリア５ａからＬＣＤ４の背面を照光する。
【特許文献１】特開２００１−１１０２７７号公報、段落００１１〜段落００１４図２
【発明の開示】
【発明が解決しようとする課題】
【０００８】
上記した従来の操作つまみアセンブリの固定構造では、操作つまみアセンブリ１１を熱融着や接着によりフロントパネル２に固定するため、製造コストが高くなっていた。また、融着や接着をした後に部品不良や組み付け不良となったときに、フロントパネル２と操作つまみアセンブリ１１全て廃棄しなければならずコスト高の要因となっていた。
【０００９】
また、個々の操作つまみ１１ａ、１１ａ…を背後から照光する場合は、スイッチ８、８…をＬＥＤ付きスイッチとするか個々の操作つまみ１１ａ、１１ａ…に対応させてＬＥＤを配置しなければならず、製造コストが増大し、さらに、装置の消費電力が増大するという問題があった。
【００１０】
この発明は上記した点に鑑みてなされたものであって、その目的とするところは、組み付け後も容易にフロントパネルと操作つまみアセンブリを分離できる操作つまみアセンブリの固定構造を提供することにある。
【００１１】
この発明の他の目的は、操作つまみを背後から照光するために、ＬＣＤバックライト用ＬＥＤの他に光源を必要としない操作つまみアセンブリの固定構造を提供することである。
【課題を解決するための手段】
【００１２】
この発明の操作つまみアセンブリの固定構造は、複数の操作つまみがヒンジを介してベースに連結された操作つまみアセンブリの前記ベースに設けた穴または凸部をフロントパネルのボスに設けた凸部または穴と嵌合させ、前記ベースをフロントパネルによりフロントパネルの内部方向に押圧し、ＬＣＤ取付金具の切り起した舌片によりフロントパネルの外部方向に押圧することにより、前記フロントパネルとＬＣＤ取付金具とで挾持させるものである。
【００１３】
また、前記操作つまみアセンブリの固定構造において、前記ベースが前記フロントパネル方向に凸となる第１の凸部と前記舌片方向に凸となる第２の凸部とが交互に連なるように形成され、前記第１の凸部が前記フロントパネルにより押圧され、前記第２の凸部が前記舌片により押圧されるように構成したものである。
【００１４】
また、前記各操作つまみアセンブリの固定構造において、ＬＣＤ用光ガイドからＬＣＤ取付金具に設けた導光穴を通る光により前記操作つまみが照光されるものである。
【００１５】
また、前記操作つまみアセンブリの固定構造において、前記導光穴が前記舌片の切り起し穴により形成されているものである。
【発明の効果】
【００１６】
この発明の操作つまみアセンブリの固定構造によれば、操作つまみアセンブリをフロントパネル等に溶着や接着する必要がないため、製造工数が節減される。また、操作つまみアセンブリを簡単に分離できるので、個々の部品が不良である場合、不良の部品のみ交換すればよく、製造歩留まりが向上し、また、保守が容易となる。
【発明を実施するための最良の形態】
【００１７】
以下この発明を実施するための最良の形態を実施例に即して説明する。図１はこの発明の実施例である操作つまみアセンブリの固定構造を前方上部から見た分解斜視図、図２は同操作つまみアセンブリの固定構造を背後下部から見た部分分解斜視図、図３は同操作つまみアセンブリを示す部分上面図である。
【００１８】
図１〜図３に示す操作つまみアセンブリ１は、個々の操作つまみ１ａ、１ａ…がヒンジ１ｃ、１ｃ…を介してベース１ｂに一体に連結され、さらに、操作つまみ１ａ、１ａ…に作動杆１ｄ、１ｄ…が一体に形成されることにより構成されている。
【００１９】
ベース１ｂにはフロントパネル２に固定するための穴１ｅ、１ｅ…が設けられている。フロントパネル２には前記個々の操作つまみ１ａ、１ａ…を挿通させる穴２ｂ、２ｂ…とＬＣＤ４を露出させる窓２ｃが設けられ、さらに、ベース１ｂに設けられた穴１ｅ、１ｅ…と嵌合する凸部を有するボス２ａ、２ａ…が設けられている。そして、ベース１ｂの穴１ｅ、１ｅ…をボス２ａ、２ａ…に嵌合させて操作つまみアセンブリ１がフロントパネル２に対して位置決めされる。
【００２０】
図３に詳しく示すように、ベース１ｂはフロントパネル２方向に凸となる第１の凸部１ｆとフロントパネル２から離れる方向に向けて凸となる第２の凸部１ｇとが交互に連なるように形成されている。
【００２１】
箱型に形成されたＬＣＤ取付金具３はＬＣＤ４を露出させる窓３ａが設けられており、図４および図５で説明した従来のＬＣＤ取付金具３は略同様の形状であるが、さらに、舌片３ｂ、３ｂ…が切り起こしにより形成されており、その切り起し穴３ｃ、３ｃ…が操作つまみ１ａ、１ａ…を背後から照光する光を光ガイド５から操作つまみ１ａ、１ａ…背後に導く。
【００２２】
ＬＣＤ４、光ガイド５およびプリント基板６は図４および図５で説明した従来のものと同じものが用いられており、これらのＬＣＤ４、光ガイド５およびプリント基板６がＬＣＤ取付金具３に組み付けられた後、フロントパネル２に締着される。そのとき、クッション７がフロントパネル２とＬＣＤ取付金具３との間に挟み込まれる。
【００２３】
ＬＣＤ取付金具３がフロントパネル２に締着されるときには、操作つまみアセンブリ１は前記したように、フロントパネル２に対して位置決めされており、このように位置決めされた操作つまみアセンブリ１のベース１ｂがフロントパネル２とＬＣＤ取付金具３とで挾持されて操作つまみアセンブリ１がフロントパネル２に固定される。
【００２４】
すなわち、操作つまみアセンブリ１のベース１ｂの第１の凸部１ｆはフロントパネル２によりクッション７を介して押圧され、第２の凸部１ｇはＬＣＤ取付金具３の舌片３ｂ、３ｂ…に押圧され、この摩擦力により操作つまみアセンブリ１が保持される。
【００２５】
この実施例では、ＬＣＤ取付金具３をフロントパネル２から外すことにより操作つまみアセンブリ１を簡単にフロントパネル２から取外すことができる。また、操作つまみ１ａ、１ａ…はＬＣＤ４を照光する光源により照光されるので、別にＬＥＤ等の光源を必要とすることなく、製造コストおよび消費電力が削減される。
【００２６】
さらに、操作つまみアセンブリ１のベース１ｂの夫々の凸面がフロントパネル２および舌片３ｂ、３ｂ…で押圧されるため、挾持された状態で操作つまみアセンブリ１の形状が安定し、また、フロントパネル２の平面部でもベース１ｂの凸面を押圧させることができる。
【００２７】
実施例は以上のように構成されているが発明はこれに限られず、例えば、実施例ではクッション７がＬＣＤ取付金具３の締着力が偏在することを防止し、また、操作つまみ１ａ、１ａ…を挾持する摩擦力を増大させるために用いられているが、クッション７を用いなくてもこの発明の効果が得られる。
【図面の簡単な説明】
【００２８】
【図１】この発明の実施例である操作つまみアセンブリの固定構造を前方上部から見た分解斜視図である。
【図２】同操作つまみアセンブリの固定構造を背後下部から見た部分分解斜視図である。
【図３】同操作つまみアセンブリを示す部分上面図である。
【図４】従来の操作つまみアセンブリの固定構造の例を前方上部から見た分解斜視図である。
【図５】同操作つまみアセンブリの固定構造を背後下部から見た部分分解斜視図である。
【符号の説明】
【００２９】
１  操作つまみアセンブリ、１ａ  操作つまみ、１ｂ  ベース、１ｃ  ヒンジ
１ｄ  作動杆、１ｅ  穴、１ｆ  第１の凸部、１ｇ  第２の凸部
２  フロントパネル、２ａ  ボス、２ｂ  穴、２ｃ  窓
３  ＬＣＤ取付金具、３ａ  窓、３ｂ  舌片、３ｃ  切り起し穴
４  ＬＣＤ
５  光ガイド、５ａ  ＬＥＤバックライトエリア、５ｂ  ねじ挿通穴
６  プリント基板、６ａ  ＬＣＤバックライト用ＬＥＤ
７  クッション
８  スイッチ
１１  操作つまみアセンブリ、１１ａ  操作つまみ、１１ｂ  ベース、１１ｃ  ヒンジ  １１ｄ  作動杆、１１ｅ  穴
１３  ＬＣＤ取付金具、１３ａ  窓
【図１】
2008181829.tif 000003
【図２】
2008181829.tif 000004
【図３】
2008181829.tif 000005
【図４】
2008181829.tif 000006
【図５】
2008181829.tif 000007